(57)【要約】【課題】塗布部から流れ出た余分な液体を再び塗布部側へと戻すことができる塗布キャップを提供する。【解決手段】容器２の口頸部２ａに装着されると共に、先端部に容器２に収容された液体を塗布する塗布部１１と、この塗布部１１の周囲を囲む環状の溝部１６とが設けられたキャップ本体３と、このキャップ本体３に着脱自在に被せられると共に、溝部１６の内側に進入可能とされた環状の壁部２１が設けられたオーバーキャップ１７とを備えた塗布キャップ１であって、オーバーキャップ１７をキャップ本体３に被せた状態において、壁部２１が溝部１６の内周面に接触した状態となることを特徴とする。【選択図】図１
2007284108.tif 000002
【特許請求の範囲】
【請求項１】
容器の口頸部に装着されると共に、先端部に前記容器に収容された液体を塗布する塗布部と、前記塗布部の周囲を囲む環状の溝部とが設けられたキャップ本体と、
前記キャップ本体に着脱自在に被せられると共に、前記溝部の内側に進入可能とされた環状の壁部が設けられたオーバーキャップとを備え、
前記オーバーキャップを前記キャップ本体に被せた状態において、前記壁部が前記溝部の内周面に接触した状態となることを特徴とする塗布キャップ。
【請求項２】
前記オーバーキャップを前記キャップ本体に被せた状態において、前記壁部と前記塗布部との間に隙間が設けられていることを特徴とする請求項１に記載の塗布キャップ。
【請求項３】
前記溝部の内周面が内側に向かって傾斜していることを特徴とする請求項１又は２に記載の塗布キャップ。
【請求項４】
前記塗布部は、ノズル、メッシュ、ブラシ、櫛の何れかの形態を有することを特徴とする請求項１〜３の何れか一項に記載の塗布キャップ。
【請求項５】
請求項１〜４の何れか一項に記載の塗布キャップが容器の口頸部に装着されてなることを特徴とする塗布キャップ付き容器。
【発明の詳細な説明】
【技術分野】
【０００１】
本発明は、容器の口頸部に装着されて、この容器に収容された液体洗剤や液体漂白剤などの液体を塗布する塗布キャップ、並びにそのような塗布キャップを備えた塗布キャップ付き容器に関する。
【背景技術】
【０００２】
従来より、容器の口頸部に装着されて、この容器に収容された液体洗剤や液体漂白剤などの液体を塗布する塗布キャップがある。この塗布キャップは、例えば図４に示すように、衣服の襟や袖などの汚れた部分に対する洗浄効果を高めるために、キャップ本体１００の先端に塗布部１０１を有しており、このような塗布部１０１によって液体を直接塗布することが可能となっている。
【０００３】
ところで、このような塗布キャップでは、図４中の矢印で示すように、塗布部１０１から流れ出た余分な液体が塗布後に塗布部１０１から液だれしてしまい、キャップ本体１００の周囲や、このキャップ本体１００に被せられるオーバーキャップなどを汚してしまうことがあった。
【０００４】
そこで、このような問題を解決するために、塗布部の周囲に液溜り部を設けて、塗布部から流れ出た余分な液体を回収することが提案されている（例えば特許文献１，２を参照）。しかしながら、このような液溜り部により液体を回収したとしても、液溜り部が回収できる液体の量には限界があるため、繰り返しの使用により許容量を超えてしまうと、それ以上液体を回収することができなくなる。この場合、塗布部だけでなく液溜り部からも液だれが生じてしまい、この液溜り部から溢れ出た液体によって周囲を汚してしまうといった問題が発生してしまう。また、この液溜り部自体が回収した液体によって汚れてしまうため、使用者に対して不快感を与えてしまうといった問題も発生してしまう。
【特許文献１】特開平１０−２１８２１９号公報
【特許文献２】特開２０００−１７６３５５号公報
【発明の開示】
【発明が解決しようとする課題】
【０００５】
本発明は、このような従来の事情に鑑みて提案されたものであり、塗布部から流れ出た余分な液体を再び塗布部側へと戻すことができる塗布キャップ、並びにそのような塗布キャップを備えることによって、塗布部からの液だれにより周囲を汚してしまうといったことを防ぐことができる塗布キャップ付き容器を提供することを目的とする。
【課題を解決するための手段】
【０００６】
この目的を達成するために、請求項１に係る発明は、容器の口頸部に装着されると共に、先端部に前記容器に収容された液体を塗布する塗布部と、前記塗布部の周囲を囲む環状の溝部とが設けられたキャップ本体と、前記キャップ本体に着脱自在に被せられると共に、前記溝部の内側に進入可能とされた環状の壁部が設けられたオーバーキャップとを備え、前記オーバーキャップを前記キャップ本体に被せた状態において、前記壁部が前記溝部の内周面に接触した状態となることを特徴とする塗布キャップである。
また、請求項２に係る発明は、前記オーバーキャップを前記キャップ本体に被せた状態において、前記壁部と前記塗布部との間に隙間が設けられていることを特徴とする請求項１に記載の塗布キャップである。
また、請求項３に係る発明は、前記溝部の内周面が内側に向かって傾斜していることを特徴とする請求項１又は２に記載の塗布キャップである。
また、請求項４に係る発明は、前記塗布部が、ノズル、メッシュ、ブラシ、櫛の何れかの形態を有することを特徴とする請求項１〜３の何れか一項に記載の塗布キャップである。
また、請求項５に係る発明は、請求項１〜４の何れか一項に記載の塗布キャップが容器の口頸部に装着されてなることを特徴とする塗布キャップ付き容器である。
【発明の効果】
【０００７】
以上のように、本発明によれば、塗布後に塗布部の周囲を囲む環状の溝部に塗布部から流れ出た余分な液体が流れ込むものの、オーバーキャップをキャップ本体に被せたときに、壁部が溝部の内周面に接触した状態となることによって、この溝部に溜まった液体が塗布部側へと押し戻されることになる。これにより、塗布部から流れ出た余分な液体を再び塗布部側へと戻すことができ、繰り返し使用した場合であっても、溝部に液体を溜め込むことがないため、この溝部から溢れ出た液体によってキャップ本体の周囲を汚してしまうといったことを防ぐと共に、この溝部自体が液体によって汚れてしまうといったことを防ぐことが可能である。
【発明を実施するための最良の形態】
【０００８】
以下、本発明を適用した塗布キャップ及び塗布キャップ付き容器について、図面を参照して詳細に説明する。
図１に示すように、本発明を適用した塗布キャップ１は、例えば液体洗剤を収容する容器２の口頸部２ａに装着されて、この容器２に収容された液体洗剤を、例えば衣服の襟や袖などに直接塗布するものであり、このような塗布キャップ１が装着された容器２によって、本発明を適用した塗布キャップ付き容器が構成されている。
【０００９】
容器２は、繰り返し押圧（スクイズ）操作することができるスクイズ容器として、例えばポリエチレン樹脂やポリプロピレン樹脂、ポリエステル樹脂などの比較的軟質な合成樹脂材料をブロー成形によってボトル状に成形したものからなる。この容器２の底部から筒状に起立した胴部の上端部には、略円筒状に縮径された口頸部２ａが設けられている。また、口頸部２ａの外周面には、塗布キャップ１を螺合により装着するためのネジ部２ｂが形成されている。なお、容器２の形状については、特に限定されないものの、使用する際に持ち易く且つスクイズ操作のし易い形状のものが好ましい。
【００１０】
塗布キャップ１は、このような容器２の口頸部２ａに着脱自在に装着されるキャップ本体３を備えている。このキャップ本体３は、例えばポリエチレン樹脂やポリプロピレン樹脂などの合成樹脂材料からなる。また、キャップ本体３は、略円筒状の胴筒部４と、胴筒部４の先端側開口を閉塞する天板部５と、胴筒部４の外周部からフランジ部６を介して垂下された略円筒状の装着筒７とを有している。
【００１１】
このうち、胴筒部４の外周面には、後述するオーバーキャップ１７を螺合により装着するためのネジ部８が形成されている。天板部５には、容器２に収容された液体洗剤を排出するための複数の貫通孔９が設けられている。なお、このような貫通孔９は、少なくとも１つ以上設けられていればよく、その数や大きさ、配置等については任意に変更することが可能である。装着筒７の内周面には、上述した口頸部２ａのネジ部２ｂに螺合されるネジ部１０が形成されている。これにより、キャップ本体３は、容器２の口頸部２ａに対して着脱自在に装着することが可能となっている。
【００１２】
また、キャップ本体３の先端部には、容器２に収容された液体洗剤を塗布する塗布部材（塗布部）１１が固定リング（固定部材）１２を介して取り付けられている。この塗布部材１１は、液体洗剤を含浸し得るもので、なお且つ、容器２をスクイズ操作したときに容器２からの液体洗剤の注出及び容器２への外気の導入を妨げないもの、例えばスポンジや、メッシュ、不織布、繊維体、発泡体、多孔質体、３次元網目構造体などからなる。なお、本実施の形態では、塗布部材１１としてポリエチレンの焼結体からなる多孔質構造体を用いている。この塗布部材１１は、ドーム状の天井壁１１ａと、この天井壁１１ａの外周部から円筒状に垂下された側壁１１ｂと、この側壁１１ｂの周端部から拡径する方向に突出されたフランジ部１１ｃとを有している。
【００１３】
一方、この塗布部材１１をキャップ本体３の先端部に固定するため、天板部５の上面部には、塗布部材１１のフランジ部１１ｃが嵌合される凹部１３が設けられている。また、胴筒部４の先端側の外周部には、環状のストッパー部１４が設けられている。固定リング１２は、その中央部から塗布部材１１の先端部を外部に露出させる開口部１２ａと、その外周部から垂下される固定筒１２ｂとを有し、この固定筒１２ｂの内周面には、環状のストッパー部１２ｃが設けられている。
【００１４】
そして、この塗布部材１１をキャップ本体３の先端部に固定する際は、キャップ本体３の凹部１３に塗布部材１１のフランジ部１１ｃを嵌合した状態で、固定リング１２の開口部１２ａに塗布部材１１の先端部を挿通しながら、この固定リング１２のストッパー部１２ｃをキャップ本体３のストッパー部１４に係止する。これにより、塗布部材１１をキャップ本体３の先端部に固定することができる。
【００１５】
また、固定リング１２の上面部には、開口部１２ａの周囲を囲む環状の周壁１５が立ち上がり形成されている。そして、この周壁１５と塗布部材１１の側壁１１ｂとの間には、塗布部材１１から流れ出た余分な液体洗剤を回収する液溜り部１６が設けられている。この液溜り部１６は、塗布部材１１の周囲を囲む環状の溝部である。また、周壁１５の内周面は、内側に向かって傾斜した傾斜面１５ａを形成している。
【００１６】
塗布キャップ１は、このようなキャップ本体３に着脱自在に被せられるオーバーキャップ１７を備えており、このオーバーキャップ１７をキャップ本体３に被せることによって塗布部材１１を乾燥から防ぐことが可能となっている。具体的に、このオーバーキャップ１７は、例えばポリエチレン樹脂やポリプロピレン樹脂などの合成樹脂材料からなる。また、オーバーキャップ１７は、略円形状の天板部１８と、この天板部１５の外周部から垂下される略円筒状の外筒部１９とを有している。
【００１７】
外筒部１９の内周面には、上述したキャップ本体３のネジ部８に螺合されるネジ部２０が形成されている。これにより、オーバーキャップ１７は、キャップ本体３に対して着脱自在に装着することが可能となっている。
【００１８】
天板部１８の下面中央からは、塗布部材１１の周囲を囲むように略円筒状の内筒部２１が垂下されている。この内筒部２１は、上述した液溜り部１６の内側に進入可能とされた環状の壁部であり、この内筒部２１の内側が塗布部材１１の先端部が嵌合される嵌合部となっている。また、内筒部２１は、オーバーキャップ１７をキャップ本体３に被せた状態において、液溜り部１６の内周面、すなわち周壁１５の傾斜面１５ａに接触可能となっている。さらに、オーバーキャップ１７をキャップ本体３に被せた状態において、内筒部２１と塗布部材１１の側壁１１ｂとの間には、僅かな隙間Ｓが設けられている。
【００１９】
以上のような塗布キャップ１を備えたキャップ付き容器を使用する際には、容器２の口頸部２ａを下方に向けた状態で、容器２の胴部を押圧（スクイズ）操作する。このとき、容器２内の圧力上昇により容器２内で加圧された液体洗剤が貫通孔９を通じて塗布部材１１に含浸されるため、この塗布部材１１の先端部を例えば衣服の襟や袖などに押し付けることによって、容器２に収容された液体洗剤を直接塗布することができる。
【００２０】
なお、容器２に対する押圧を解除することによって、容器２の胴部が元の形状に弾性復帰する。このとき、容器２内に発生する負圧により外部の空気が貫通孔９を通じて容器２内に導入されることになる。また、この塗布キャップ付き容器は、塗布部材１１に含浸された液体洗剤を塗布する形態のため、容器２の口頸部２ａを下方に向けただけでは内部の液体洗剤が漏れ出すことはなく、液体洗剤もある程度の粘性を有している。
【００２１】
ところで、本発明を適用した塗布キャップ１では、図２の矢印で示すように、塗布後に容器２を正立させると、塗布部材１１の周囲を囲む環状の液溜り部１６に塗布部材１１から流れ出た余分な液体洗剤が流れ込むものの、図３中の矢印で示すように、オーバーキャップ１７をキャップ本体３に被せたときに、内筒部２１が液溜り部１６の内周面、すなわち周壁１５の傾斜面１５ａに接触した状態となることによって、この液溜り部１６に溜まった液体洗剤が隙間Ｓを通じて塗布部材１１側へと押し戻される。また、押し戻された液体洗剤は、塗布部材１１に含浸されると共に、貫通孔９を通じて再び容器２の内部へと回収されることになる。
【００２２】
したがって、このような塗布キャップ１を備えた塗布キャップ付き容器では、塗布部材１１から流れ出た余分な液体洗剤を再び塗布部材１１の側へと戻すことができ、繰り返し使用した場合であっても、液溜り部１６に液体洗剤を溜め込むことがないことから、この液溜り部１６から溢れ出た液体洗剤によってキャップ本体３の周囲を汚してしまうといったことを防ぐことができる。また、塗布部材１１から液だれした液体洗剤を液溜り部１６に溜め込む必要がないことから、この液溜り部１６を従来よりも小さくすることができ、この液溜り部１６自体が液体洗剤によって汚れてしまうといったことも防ぐことができる。
【００２３】
なお、上記容器２に収容される液体（内容液）については、従来より一般に使用されている液体洗剤の他に、液体漂白剤などを収容することができる。
また、本発明は、上述した液体洗剤組成物や液体漂白剤組成物などの液体を収容したもの以外にも、容器に収容された液体を塗布する塗布キャップを備えた塗布キャップ付き容器に対して幅広く適用することが可能である。
また、容器の内部に収容された液体を塗布する塗布部については、上述した塗布部材１１に含浸された液体洗剤を塗布する形態以外にも、ノズルや、メッシュ、ブラシ、櫛などの形態を有するものであってもよい。
また、本発明では、上述した内筒部２１と塗布部材１１の側壁１１ｂとの間に隙間Ｓを設けた構成に限らず、このような隙間Ｓを設けない構成、すなわちオーバーキャップ１７をキャップ本体３に被せた状態において、内筒部２１が塗布部材１１の側壁１１ｂに密着する構成とすることも可能である。
【図面の簡単な説明】
【００２４】
【図１】図１は、本発明を適用した塗布キャップを備えた塗布キャップ付き容器を示す断面図である。
【図２】図２は、図１に示す塗布キャップにおいて、塗布後に容器を正立させたときの液体洗剤の流れを説明するための断面図である。
【図３】図３は、図１に示す塗布キャップにおいて、オーバーキャップをキャップ本体に被せたときの液体洗剤の流れを説明するための断面図である。
【図４】図４は、従来の塗布キャップの一例を示す断面図である。
【符号の説明】
【００２５】
１…塗布キャップ  ２…容器  ２ａ…口頸部  ３…キャップ本体  ４…胴筒部  ５…天板部  ７…装着筒  ９…貫通孔  １１…塗布部材（塗布部）  １２…固定リング  １５…周壁  １５ａ…傾斜面  １６…液溜り部（溝部）  １７…オーバーキャップ  １８…天板部  １９…外筒部  ２１…内筒部（壁部）
【図１】
2007284108.tif 000003
【図２】
2007284108.tif 000004
【図３】
2007284108.tif 000005
【図４】
2007284108.tif 000006